(57)【要約】【課題】押圧釦のストロークの変更が可能なスイッチ構造を提供する。【解決手段】本発明のスイッチ構造は、押圧部（２３）と、押圧部（２３）から延びる延在部（２５）とを有し、延在部（２５）の側面の所定位置に第１導通部（３２）が形成された押圧釦（９）と、押圧釦（９）の延在部（２５）が挿入される挿入孔（２８）が設けられた釦受け部（２１）と、前記挿入孔（２８）の内面に形成された、該挿入孔（２８）の深さ方向に延びる第２導通部（３４）と、前記挿入孔（２８）の開口端部からの距離が異なる複数の位置に形成された複数の第３導通部（３６）と、を備え、押圧釦（９）の延在部（２５）が挿入孔（２８）に挿入されたときに、第１導通部（３２）により、第２導通部（３４）と、延在部（２５）が挿入された深さに応じて前記所定位置に形成された第１導通部（３２）が接触する第３導通部（３６）と、が導通すること、を特徴とする。【選択図】図２
2010049932.tif 000002
【特許請求の範囲】
【請求項１】
押圧部と、前記押圧部から延びる延在部とを有し、該延在部の側面の所定位置に第１導通部が形成された押圧釦と、
前記押圧釦の前記延在部が挿入される挿入孔が設けられた釦受け部と、
前記挿入孔の内面に形成された、該挿入孔の深さ方向に延びる第２導通部と、
前記挿入孔の開口端部からの距離が異なる複数の位置に形成された複数の第３導通部と、を備え、
前記押圧釦の前記延在部が前記挿入孔に挿入されたときに、前記第１導通部により、前記第２導通部と、前記延在部の挿入深さに応じて前記第１導通部が存在する位置に形成された第３導通部とが、導通すること、
を特徴とするスイッチ構造。
【請求項２】
請求項１に記載のスイッチ構造であって、
前記第１導通部、前記第２導通部及び前記第３導通部の少なくとも一つは二色成型により形成されていること、
を特徴とするスイッチ構造。
【請求項３】
請求項１または２に記載のスイッチ構造を備える電子機器であって、
複数の前記第３導通部がグループ分けされており、
同一グループ内の前記第３導通部のうちの、何れの前記第３導通部が前記第２導通部と導通したときにスイッチング機能が実施されるかを選択可能な操作部と、
前記操作部により選択された前記第３導通部が前記第２導通部と導通したときにスイッチング機能を実施する制御部と、
を備えること、を特徴とする電子機器。
【請求項４】
請求項３に記載の電子機器であって、
前記第３導通部のうちの何れが選択されているかを表示可能な表示部を備えること、
を特徴とする電子機器。
【請求項５】
請求項３又は４に記載の電子機器であって、
該電子機器が光学機器であり、
前記スイッチ構造がレリーズ釦のスイッチ構造であり、
前記スイッチング機能が、該レリーズ釦の半押し機能と全押し機能であること、
を特徴とする電子機器。
【発明の詳細な説明】
【技術分野】
【０００１】
本発明は、スイッチ構造及びそれを備える電子機器に関するものである。
【背景技術】
【０００２】
従来、電子機器、例えばカメラは、レリーズ釦を備えている。そのレリーズ釦の押し力量は、レリーズ釦の付勢ばねの力量を機械的に変更することにより変更することができる（例えば、特許文献１参照）。
【特許文献１】特開２００３−２９５２９９号公報
【発明の開示】
【発明が解決しようとする課題】
【０００３】
しかし、レリーズ釦の半押しや全押しの際のストロークの変更を簡単な構造で達成できる技術は知られていない。
【０００４】
本発明の課題は、押圧釦のストロークの変更が可能なスイッチ構造及び電子機器を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、押圧部（２３）と、前記押圧部（２３）から延びる延在部（２５）とを有し、該延在部（２５）の側面の所定位置に第１導通部（３２）が形成された押圧釦（９）と、前記押圧釦（９）の前記延在部（２５）が挿入される挿入孔（２８）が設けられた釦受け部（２１）と、前記挿入孔（２８）の内面に形成された、該挿入孔（２８）の深さ方向に延びる第２導通部（３４）と、前記挿入孔（２８）の開口端部からの距離が異なる複数の位置に形成された複数の第３導通部（３６）と、を備え、前記押圧釦（９）の前記延在部（２５）が前記挿入孔（２８）に挿入されたときに、前記第１導通部（３２）により、前記第２導通部（３４）と、該延在部（２５）の挿入深さに応じて前記第１導通部（３２）が存在する位置に形成された前記第３導通部（３６）と、が導通すること、を特徴とするスイッチ構造（２０）である。
請求項２に記載の発明は、請求項１に記載のスイッチ構造（２０）であって、前記第１導通部（３２）、前記第２導通部（３４）及び前記第３導通部（３６）の少なくとも一つは二色成型により形成されていること、を特徴とするスイッチ構造（２０）である。
請求項３に記載の発明は、請求項１または２に記載のスイッチ構造（２０）を備える電子機器（１）であって、複数の前記第３導通部（３６）がグループ分けされており、同一グループ内の前記第３導通部（３６）のうちの、何れの前記第３導通部（３６）が前記第２導通部（３４）と導通したときにスイッチング機能が実施されるかを選択可能な操作部（１０，４０）と、前記操作部（１０，４０）により選択された前記第３導通部（３６）が前記第２導通部（３４）と導通したときにスイッチング機能を実施する制御部（７）と、を備えること、を特徴とする電子機器（１）である。
請求項４に記載の発明は、請求項３に記載の電子機器（１）であって、前記第３導通部（３６）のうちの何れが選択されているかを表示可能な表示部（１１）を備えること、を特徴とする電子機器（１）である。
請求項５に記載の発明は、請求項３又は４に記載の電子機器（１）であって、
該電子機器がカメラ（１）であり、前記スイッチ構造（２０）がレリーズ釦（９）のスイッチ構造（２０）であり、前記スイッチング機能が、該レリーズ釦（９）の半押し機能と全押し機能であること、を特徴とする電子機器（１）である。
なお、符号を付して説明した構成は、適宜改良してもよく、また、少なくとも一部を他の構成物に代替してもよい。
【発明の効果】
【０００７】
本発明によれば、押圧釦のストロークの変更が可能なスイッチ構造及びそれを備える電子機器を提供することができる。
【発明を実施するための最良の形態】
【０００８】
（第１実施形態）
以下、図面を参照して、本発明の第１実施形態について説明する。なお、本実施形態では、一眼レフのデジタルカメラを例に説明するが、これに限定されず、いわゆるコンパクトカメラでもよく、さらにカメラに限らず、スイッチ構造を有するものであれば、他の電子機器であってもよい。
【０００９】
図１はカメラ１の構成を示すブロック図である。カメラ１は、光軸Ａに沿って、撮影レンズ２、ミラー部３及び撮像素子４を備える。また、撮影レンズ２に入射した光のうちの、ミラー部３によって図中上方に向けられた光が入射するファインダー部５と、ミラー部３によって図中下方に向けられた光が入射する測距部６とを備える。カメラ１は、更に、撮像素子４及び測距部６からの情報が入力される制御部７を備え、その制御部７には、レリーズ釦９、操作部１０、液晶表示部１１、及びフォーカス制御部１３が接続されている。
【００１０】
撮影レンズ２は、被写体像光を撮像素子４の撮像面等に結像させる光学系であり、この光学系の焦点位置を調節するためのフォーカスレンズを含む複数のレンズ群を備えている。
【００１１】
ミラー部３は、撮影レンズ２の出射側に配置されており、メインミラー３ａ及びサブミラー３ｂを備えている。メインミラー３ａは、撮影レンズ２を通過した光をファインダー部５に向けて反射する鏡である。メインミラー３ａは、その一部がハーフミラーとなっており、光の一部を透過させる。また、メインミラー３ａは、撮影時にレリーズ釦９が押されると、その端部に設けられた不図示の軸の回りに回動して反射面が光軸Ａに対して略平行となる位置に退避する、いわゆる、クイックリターンミラーである。サブミラー３ｂは、メインミラー３ａのハーフミラー部分を透過した光の進路を、例えば９０°、メインミラー３ａとは反対の方向に屈曲させて後述する測距部６に反射させる鏡である。
【００１２】
撮像素子４は、メインミラー３ａが退避したときに、光軸Ａに沿った光が届く位置に設けられ、撮影レンズ２が結像した像を電気信号に変換する例えばＣＣＤ（Ｃｈａｒｇｅ−Ｃｏｕｐｌｅｄ  Ｄｅｖｉｃｅ）等の撮像素子である。ミラー部３と撮像素子４との間には、露光時間を制御するシャッタ１２が設けられている。
【００１３】
ファインダー部５は、メインミラー３ａによって図中上方に向けられた光が入射するものであり、ペンタプリズム５ａと焦点板５ｂと備えている。ペンタプリズム５ａは、メインミラー３ａが反射した光の進路を屈曲させて接眼部（接眼レンズ５ｃ）に導く光学素子である。ペンタプリズム５ａは、例えば、カメラ１を通常撮影位置としたときに、ミラー部３の上方に設けられている。なお、本明細書において、カメラの通常撮影位置とは、カメラ本体の光軸を水平にして横長の画像を撮影する際のカメラの位置をさすものとする。
【００１４】
測距部６は、サブミラー３ｂによって屈曲された光を２つに分けて視差のある二つの像を生成し、生成した二つの像をそれぞれ電気信号に変換する。そして、変換した電気信号を制御部７に出力する。
【００１５】
制御部７は、カメラ１を構成する各要素を統括的に制御する情報処理部である。制御部７は、測距部６からの出力に基づいて、デフォーカス量を算出する。そして、フォーカス制御部１３により公知の位相差検出方式のオートフォーカス制御（ＡＦ制御）を行い、デフォーカス量がゼロとなるようにＡＦモータ１５を作動させてフォーカスレンズを駆動する。
【００１６】
制御部７は、撮像素子４により電気信号に変換された撮像情報を表示部１１に表示するように制御する。また、後述するように、制御部７は、表示部１１に各種操作画面を表示させ、操作部１０の操作によって表示部１１の画面上で任意の項目を選択できるように制御する。
【００１７】
表示部１１は、ＬＣＤ等からなり、カメラ１のボディ背面に設けられており、撮影済みの画像やスルー画像を表示する。さらに表示部は、再生条件、撮影条件、カメラの基本設定等の設定が可能なメニュー画面等を表示することができる。
【００１８】
レリーズ釦９は、シャッタ１２を作動させるための押し釦スイッチであり、ユーザによる押圧操作に応じて、所定のストロークで半押し状態及び全押し状態に変位するようになっている。
【００１９】
操作部１０は、後述する十字キー４０やその他メニュー釦、再生釦等の各種スイッチを含む。操作部１０の操作により、表示部１１に表示されたメニュー画面において、カーソルは移動可能である。
【００２０】
図２は、本実施形態のレリーズ釦９のスイッチ構造２０を示す。レリーズ釦９は押圧部２３と、押圧部２３の下面の略中心部分から下方に延びた延在部２５とが一体化されることにより形成されており、カメラボディ１ａの上面に設けられている。押圧部２３はシャッタ１２の操作のために押圧操作される部位であり、上面が平面となっている。
【００２１】
レリーズ釦９を取り付けるため、カメラボディ１ａの上面には、凹み状の釦受け部２１が形成されている。釦受け部２１の略中央部分には、支持壁部２７が筒状となって起立しており、支持壁部２７の内部が延在部２５を挿入するための挿入孔２８となっている。延在部２５が挿入孔２８内に挿入されることによりレリーズ釦９がカメラボディ１ａに取り付けられる。延在部２５は挿入孔２８の内面に接触する径となっており、延在部２５が挿入孔２８を上下方向に摺動する。この摺動によってレリーズ釦９のスイッチングが行われる。
【００２２】
レリーズ釦９と釦受け部２１との間には、ばね２９が配置されている。ばね２９は、釦受け部２１の底面２１ａとレリーズ釦９の押圧部２３との間に位置するように配置されており、レリーズ釦９の押圧操作によって沈み込んだレリーズ釦９を元の位置に復帰させるリターンスプリングとなっている。
【００２３】
レリーズ釦９には、取付脚部３０が設けられている。取付脚部３０は、押圧部２３の外周部分の下面から下方に延びており、釦受け部２１の底面２１ａを貫通している。取付脚部３０の貫通端はフック部３０ａとなっており、フック部３０ａが釦受け部２１の底面２１ａに係止される。これにより、レリーズ釦９が釦受け部２１から外れることがなくなる。取付脚部３０は、押圧部２３に対し、円周方向に離隔して２〜３箇所に設けられることが好ましい。
【００２４】
レリーズ釦９の延在部２５には、第１導通部３２が設けられている。第１導通部３２は延在部２５における長さ方向の所定位置に設けられるものであり、延在部２５に対しリング状に形成されている。一方、釦受け部２１の支持壁部２７における内面には第２導通部３４及び第３導通部３６が設けられている。
【００２５】
第２導通部３４は、支持壁部２７の内面に対し、上下方向に延びるように形成されている。第２導通部３４は支持壁部２７の内面の一部分で上下方向に延びるものであり、支持壁部２７の内面の全体（全面）に形成されることはない。この第２導通部３４は挿入孔２８の全長にわたって深さ方向に沿って連続的に延びており、レリーズ釦９の第１導通部３２が常に接触している。かかる第２導通部３４はグラウンド（ＧＷＤ）電極として作用する。
【００２６】
第３導通部３６は、第２導通部３４と対向するように支持壁部２７の内面に形成されている。第３導通部３６は支持壁部２７の内面に対し、所定間隔で上下方向に離隔された複数の端子によって構成されている。本実施形態において、第３導通部３６は挿入孔２８の開口端部から釦受け部２１の底面に向かって離隔された状態で順に配置された第１端子３６ａ、第２端子３６ｂ、第３端子３６ｃ、第４端子３６ｄ、第５端子３６ｅ、第６端子３６ｆ、第７端子３６ｇによって構成されている。
【００２７】
第３導通部３６は、第２導通部３４とは離隔した位置に形成されることにより通常状態においては第２導通部３４と電気的に遮断されている。レリーズ釦９が挿入孔２８内を摺動する際には、延在部２５の深さ位置に対応したいずれかの端子がレリーズ釦９の第１導通部３２と接触する。この接触によって、第１導通部３２を介して第３導通部３６のいずれかの端子と第２導通部３４とが導通する。即ち、レリーズ釦９とカメラボディ１ａ内の制御部７とが接続されてスイッチングが行われ、レリーズ釦９の半押しによるオートフォーカスやレリーズ釦９の全押しによる撮影が行われる。本実施形態において、レリーズ釦９の半押し、全押しの際のストロークは後述するように、任意に変更可能となっている。
【００２８】
本実施形態において、第１導通部３２、第２導通部３４、第３導通部３６は樹脂の２色成型により形成されたものである。２色成型は、メッキ用ＡＢＳ樹脂等のメッキしやすい第１樹脂材料と、ポリカーボネート等のメッキしにくい第２樹脂材料とを用いて行う成型である。
【００２９】
例えば、レリーズ釦９を２色成型により成形する場合には、金型に第２樹脂材料を注入して第１導通部３２の対応部分を除いた外形のベースを成型し、次にその金型の一部を交換または移動して、その交換または移動によって第１導通部３２の対応部分に空間を形成する。そして、この空間に第１樹脂材料を注入して第１導通部３２の対応部分の外形を形成する。この２色成型で成型された部材に対して化学メッキ処理を行うと、メッキしやすい第１樹脂材料の表面にのみメッキが施され、メッキしにくい第２樹脂材料の表面はメッキされない。化学メッキ処理としては、第１樹脂材料の表面に下地としての銅をメッキする第１メッキ処理を行い、次に銅の上に金をメッキする第２メッキ処理を行う。これにより、レリーズ釦９の延在部２５の外周面に対してリング状の第１導通部３２を形成することができる。
【００３０】
次に、スイッチ構造２０におけるレリーズ釦９の半押し、全押しのストロークの変更について説明する。本実施形態のカメラ１は、操作部１０より、レリーズ釦９のストローク変更を行う「ストローク調整モード」を選択することができる。図３は、「ストローク調整モード」が選択された場合の、カメラ１の背面側の一部を示したもので、表示部１１と、その表示部１１に隣接して配置された、操作部１０の一部としての十字キー４０を示す。
【００３１】
十字キー４０は、中央の決定釦４１と、決定釦４１周囲の選択釦とを備えている。選択釦は決定釦４１の上下に位置する上釦４２及び下釦４３と、決定釦４１の左右に位置する左釦４４と右釦４５とを有している。これらの選択釦４２，４３，４４，４５を押圧することにより、表示部１１で表示されているカーソル４６，４７を移動させることができる。本実施形態において、カーソル４６，４７は矢印状の画像で示される。また、レリーズ釦９のストローク変更の際には、上釦４２及び下釦４３によりカーソル４６，４７が上下方向に移動される。
【００３２】
図３に示すように、表示部１１には、「半押し」及び「全押し」のストロークがスケールで表示されている。「半押し」のスケール表示４８には、上から順に、第３導通部３６の端子３６ａ，３６ｂ，３６ｃに対応するａ，ｂ，ｃの３つの点が表示されている。「全押し」のスケール表示４９には、上から順に、第３導通部３６の端子３６ｄ，３６ｅ，３６ｆ，３６ｇに対応するｄ，ｅ，ｆ，ｇの４つの点が表示されている。
【００３３】
図４は、スイッチ構造２０の制御のブロック図である。図４に示すように、表示部１１は制御部７に接続された表示制御部１４によって表示が制御される。この制御により、図３で示すストローク変更の画面を表示することができる。
【００３４】
図４に示すように、第３導通部３６のそれぞれの端子３６ａ〜３６と接続可能なラインが制御部７に接続されていると共に、十字キー４０の決定釦４１、上釦４２、下釦４３、左釦４４、右釦４５のそれぞれが制御部７に接続されている。端子３６ａ〜３６ｃは半押しに対応し、端子３６ｄ〜３６ｇは全押しに対応する。
【００３５】
半押しのストロークが、図３の画面で例えば位置「ａ」として選択されると、図４の端子３６ａが制御部から延びるラインと接続される。そしてレリーズ釦９が押圧されて第１導通部３２が図２で示す第３導通部３６ａの位置に到達したとき、半押しの操作が行われる。すなわち、制御部７は、フォーカス制御部１３（図１参照）を制御してオートフォーカスを行なう。
【００３６】
また、全押しストロークが、図３の画面で例えば位置「ｆ」として選択されると、図４の端子３６ｆが制御部から延びるラインと接続される。そしてレリーズ釦９が押圧されて、半押し動作が行われた後、第１導通部３２が図２で示す第３導通部３６ｆの位置に到達したとき、半押しの操作が行われる。すなわち、制御部７は、シャッタ１２（図１参照）を制御して撮影動作を行なう。
【００３７】
図５は、半押し及び全押しのストロークを変更する場合のフローチャートを示す。カメラ１において「ストローク調整モード」が選択されると、図３で示す「ストローク調整モード」の画面が表示部１１に表示され、「半押し」のカーソル４６が点滅する（ステップＳ１１）。半押しのストロークの調整を行うか否かが判断され（ステップＳ１２）行わない場合には、決定釦４１が押下される（ステップＳ１５）。半押しストローク調整を行う場合には、ステップＳ１３に移行する。
【００３８】
ステップ１３においては、ユーザが、例えばレリーズ釦９を押圧したときに、深く押圧することなくすぐに半押し操作が行われることを希望する場合、上下釦４２，４３を操作することにより図３中「ａ」で示す位置にカーソル４６を移動させる（ステップＳ１４）。そして、決定釦４１を押圧することにより、半押しのストロークが「早い」（レリーズ釦９を押圧したときに浅い位置でレリーズ半押し動作が開始される）に決定される（ステップＳ１５）。
【００３９】
また、ユーザが、例えばレリーズ釦９を押圧したときに、中間深さ又は深く押したときに半押し操作が行われることを希望する場合、上下釦４２，４３を操作することにより図３「ｂ」又は「ｃ」で示す位置にカーソル４６を移動させる（ステップＳ１４）。そして、決定釦４１を押圧する。これにより、半押しのストロークが「標準」又は「遅い」に決定される（ステップＳ１５）。
【００４０】
ステップＳ１５に続くステップＳ１６では、「半押し」マークが点滅から点灯（点滅していないで点灯し続ける状態）することにより半押しのストロークが決定したことを表示する。これと並行して「全押し」の矢印が点滅する。ステップＳ１７では、全押しストローク調整を行うか否かを判断し、行わない場合にはステップＳ２０に移行して従前の全押しのストロークの決定を行う。
【００４１】
全押しストローク調整を行う場合には、ステップＳ１８に移行し、半押しのときと同様に所定ストロークで全押しが行われるように、上下釦４２，４３によりカーソル４９を移動させ（ステップ１８）、全押しのストロークを選択する（ステップＳ１９）。その後、決定釦４１を押圧することにより（ステップＳ２０）、変更したストロークが全押しのストロークに決定される。ステップＳ２０に続くステップＳ２１では、「全押し」マークが点灯し、全押しのストロークが決定したことを表示する。その後、再度十字キー４０の決定釦４１を押すことにより（ステップＳ２２）、「ストローク調整モード」が終了する。
【００４２】
（第２実施形態）
以下、本発明の第２実施形態について説明する。第２実施形態は、第１実施形態と「ストローク調整モード」が選択された際に表示部１１に表示される画面以外、同様であるので、同様な箇所の説明は省略する。
【００４３】
図６は、第２実施形態における、「ストローク調整モード」が選択された際の表示部１１の表示形態を示す。図６においては、一本のスケール表示５０が行われており、スケール表示５０が半押し及び全押しの領域に区分けされている。そして半押しのカーソル４６は半押しの領域で移動可能で、全押しカーソル４７は、全押しの領域で移動可能となっている。
【００４４】
「ストローク調整モード」が選択されると、半押し領域のカーソル４６が点滅する。この状態で上釦４２及び下釦４３を操作すると、カーソル４６が上下に移動する。そして、図中ａ〜ｃで示す位置のうちの、所望の位置で決定釦４１を押すと、図２で示す第３導通部３６における、選択した点に対応する端子が図４で示すように制御部７と接続される。そしてその選択した点に対応する点の端子の位置が、レリーズ釦９の半押しの際のストローク深さとなる。
【００４５】
次いで、全押し領域のカーソル４７が点滅する。この状態で上釦４２及び下釦４３を操作すると、カーソル４７が上下に移動する。そして、図中ｄ〜ｇで示す位置のうちの、所望の位置で決定釦４１を押すと、図２で示す第３導通部３６における、選択した点に対応する端子が図４で示すように制御部７と接続される。そしてその選択した点に対応する点の端子の位置が、レリーズ釦９の全押しの際のストローク深さとなる。
【００４６】
（第３実施形態）
以下、本発明の第３実施形態について説明する。第３実施形態も、第１実施形態と「ストローク調整モード」が選択された際の画面表示の方法以外、同様であるので、同様な箇所の説明は省略する。
【００４７】
図７は、第３実施形態における、「ストローク調整モード」が選択された際の表示部１１の表示形態を示す。図７においては、一本のスケール表示５１に対して半押しのカーソル４６及び全押しのカーソル４７が全範囲に移動可能となっている。
【００４８】
「ストローク調整モード」が選択されると、半押し領域のカーソル４６が点滅する。この状態で上釦４２及び下釦４３を操作すると、カーソル４６が上下に移動する。そして、図中ａ〜ｇで示す位置のうちの、所望の位置で決定釦４１を押すと、図２で示す第３導通部３６における、選択した点に対応する端子が図４で示すように制御部７と接続される。そしてその選択した点に対応する点の端子の位置が、レリーズ釦９の半押しの際のストローク深さとなる。
【００４９】
次いで、全押し領域のカーソル４７が点滅する。この状態で上釦４２及び下釦４３を操作すると、カーソル４７が上下に移動する。そして、図中ｄ〜ｇで示す位置のうちの、所望の位置で決定釦４１を押すと、図２で示す第３導通部３６における、選択した点に対応する端子が図４で示すように制御部７と接続される。そしてその選択した点に対応する点の端子の位置が、レリーズ釦９の全押しの際のストローク深さとなる。
【００５０】
本実施形態が第２実施形態と異なる点は、半押し及び全押しの領域が区切られていない点である。例えば、半押しを「ａ」の位置にし、全押しを「ｂ」の位置にし、両方のストロークを浅くすることができる。また、半押しを「ｆ」の位置にし、全押しを「ｇ」の位置にし、両方のストロークを深くすることができる。さらには、半押しよりも全押しの設定位置を上に設定した場合、全押し操作のみ行われるようにすることもできる。
【００５１】
以上、本実施形態によると、以下の効果を有する。
（１）第３導通部３６の複数の端子３６ａ〜３６ｇの内のいずれかの端子を選択することにより、半押しのストローク及び全押しのストロークを変更することができる。このため、ばね力を機械的に変更する必要がなく、簡単な構造で半押しのストローク及び全押しのストロークを変更することができる。
（２）半押しのストローク及び全押しのストロークの変更を十字キー４０への操作によって行うため、ストローク変更の操作を簡単に行うことができる。
（３）変更した半押しのストローク及び全押しのストロークを表示部１１が表示するため、ユーザが半押しのストローク及び全押しのストロークを認識することができる。
【００５２】
（変形形態）
以上、説明した実施形態に限定されることなく、以下に示すような種々の変形や変更が可能であり、それらも本発明の範囲内である。
（１）本実施形態では、カメラのレリーズ釦９に対して半押しのストローク及び全押しのストロークを変更する場合を説明したが、これに限らず、パソコン等の電子機器の釦に対して適用することができる。すなわち、電子機器の釦に対して、ストロークを変更することにより、そのストロークに応じた処理や表示のスイッチングを行うことができる。
（２）また、本実施形態では、第１導通部３２、第２導通部３４、第３導通部３６を２色成型している。しかし、これに限らず、通常の樹脂成型を行った後に導電材料を貼り付けて形成してもよい。
なお、実施形態及び変形形態は、適宜組み合わせて用いることもできるが、詳細な説明は省略する。また、本発明は以上説明した実施形態によって限定されることはない。
【図面の簡単な説明】
【００５３】
【図１】本発明の第１実施形態のカメラの構成を示すブロック図である。
【図２】レリーズ釦の構造を示す断面図である。
【図３】ストローク調整を行うための表示を示す図である。
【図４】ストローク変更の制御を行うためのブロック図である。
【図５】ストローク変更のフローチャートである。
【図６】ストローク調整を行うための第２実施形態を示す図である。
【図７】ストローク調整を行うための第３実施形態を示す図である。
【符号の説明】
【００５４】
１：カメラ、７：制御部、９：レリーズ釦、１１：表示部、２０：スイッチ構造、２１：釦受け部、２３：押圧部、２５：延在部、２８：挿入孔、３２：第１導通部、３４：第２導通部、３６：第３導通部、３６ａ〜３６ｇ：端子、４０：十字キー
【図１】
2010049932.tif 000003
【図２】
2010049932.tif 000004
【図３】
2010049932.tif 000005
【図４】
2010049932.tif 000006
【図５】
2010049932.tif 000007
【図６】
2010049932.tif 000008
【図７】
2010049932.tif 000009